(57)【要約】【課題】少ない枚数で、正面方向に対して進行方向が傾斜した光成分を正面方向に立ち上げ、正面輝度を向上させることのできる光制御フィルムを提供する。【解決手段】凹凸パターン面を有する光制御フィルムであって、凹凸パターン面上の任意の点Ａを通り主平面に垂直な断面１００の凹凸パターン面側縁形状を画定する曲線１０１について、光制御フィルム１の主平面に対する傾きの絶対値の平均を算出した場合に、点Ａを通る断面１００の方向が予め定めた所定の方向から該方向に垂直な方向に向かうにつれて、傾きの絶対値の平均が大きくなり、かつ、断面の方向の相違による傾きの絶対値の平均の差が３０度以内である。【選択図】図５
2004280044.tif 000002
【特許請求の範囲】
【請求項１】
凹凸パターン面を有する光制御フィルムであって、前記凹凸パターン面上の任意の点を通り主平面に垂直な断面の前記凹凸パターン面側縁形状を画定する曲線について、前記光制御フィルムの主平面に対する傾きの絶対値の平均を算出した場合に、前記任意の点を通る前記断面の方向が予め定めた所定の方向から該方向に垂直な方向に向かうにつれて、前記傾きの絶対値の平均が大きくなり、かつ、前記断面の方向の相違による前記傾きの絶対値の平均の差が３０度以内であることを特徴とする光制御フィルム。
【請求項２】
請求項１記載の光制御フィルムにおいて、前記予め定めた所定の方向と垂直な方向についての前記断面を一定の間隔の複数の区間に分割し、前記区間に含まれる前記曲線の予め定めた一側を向いた傾斜の傾きの絶対値の平均を前記区間ごとに算出した場合に、当該傾きの絶対値の平均が前記一側に近い区間ほど大きいことを特徴とする光制御フィルム。
【請求項３】
請求項１又は２記載の光制御フィルムにおいて、前記予め定めた所定の方向と垂直な方向についての前記断面を一定の間隔の複数の区間に分割し、前記区間に含まれる前記曲線の予め定めた一側に対して逆の側を向いた傾斜の傾きの絶対値の平均を前記区間ごとに算出した場合に、当該傾きの絶対値の平均が前記一側に近い区間ほど小さいことを特徴とする光制御フィルム。
【請求項４】
導光板または光拡散材と、光源と、前記導光板または光拡散材の光出射面上に配置された光制御フィルムとを有するバックライトであって、
前記光制御フィルムは、凹凸パターン面を有し、前記凹凸パターン面上の任意の点を通り主平面に垂直な断面の前記凹凸パターン面側縁形状を画定する曲線について、前記光制御フィルムの主平面に対する傾きの絶対値の平均を算出した場合に、前記任意の点を通る前記断面の方向が前記光源の長手方向に平行な方向から垂直な方向に向かうにつれて、前記傾きの絶対値の平均が大きくなり、かつ、前記断面の方向の相違による前記傾きの絶対値の平均の差が３０度以内であることを特徴とするバックライト。
【請求項５】
請求項４記載のバックライトにおいて、前記光源の長手方向に垂直な方向についての前記断面を一定の間隔の複数の区間に分割し、前記区間に含まれる前記曲線の前記光源側を向いた傾斜の傾きの絶対値の平均を前記区間ごとに算出した場合に、当該傾きの絶対値の平均が前記光源に近い区間ほど大きいことを特徴とするバックライト。
【請求項６】
請求項４又は５記載のバックライトにおいて、前記光源の長手方向に垂直な方向についての前記断面を一定の間隔の複数の区間に分割し、前記区間に含まれる前記曲線の前記光源側とは逆の側を向いた傾斜の傾きの絶対値の平均を前記区間ごとに算出した場合に、当該傾きの絶対値の平均が前記光源に近い区間ほど小さいことを特徴とするバックライト。
【発明の詳細な説明】
【技術分野】
【０００１】
本発明は、液晶ディスプレイ等のバックライトに用いられる光制御フィルム、および当該光制御フィルムを用いたバックライトに関する。
【背景技術】
【０００２】
液晶ディスプレイ等のバックライトとして、導光板の少なくとも一端に光源を配置したエッジライト型のバックライト、若しくは、光拡散板の直下に光源を配置した直下型のバックライトが用いられている。エッジライト型のバックライトは、バックライト自身の厚みを薄くできるためノートパソコンなどに使用され、直下型のバックライトは、大きな輝度を得やすいため大型液晶テレビなどに使用される場合が多い。
【０００３】
これら従来のバックライトは、正面方向に対して傾いた方向に出射される成分が多く、特にエッジライト型のバックライトにおいてこの傾向が顕著である。このため、エッジライト型のバックライトを用いる液晶ディスプレイでは、導光板の光出射面側に光拡散性シートやプリズムシートなどの光学フィルムを複数枚組み合わせて配置し、出射光を正面方向に立ち上げることにより、正面方向の輝度を向上させている（例えば、特許文献１参照）。
【０００４】
【特許文献１】特開平５−２０３９４７号公報（請求項１）
【発明の開示】
【発明が解決しようとする課題】
【０００５】
しかし、従来のバックライトにおいては、正面輝度を向上させるために、光拡散性シートやプリズムシートなどの光学フィルムを複数枚組み合わせて使用する必要があり、バックライトの薄型化、低コスト化に支障を生じていた。また、複数の光学フィルムを積層するため、光学フィルム間にニュートンリングが生じたり、光学フィルム同士が擦れて傷が発生するなどの問題があった。
【０００６】
また、プリズムシートやレンズシートを含む従来の光制御フィルムは、幾何光学に基づいた表面設計によって正面（フィルム主平面と直交する面）に出射する光の割合を多くすることができるが、規則正しく配列する凸部に起因して干渉状パターンが現れやすく、またそれのみではぎらつき、見にくくなるという欠点がある。これを解消するためには、光拡散シート等との併用が必要となり、それにより上述したフィルム積層の問題や、全体的な輝度低下という問題も生じる。
本発明は、少ない枚数で、正面方向に対して進行方向が傾斜した光成分を正面方向に立ち上げ、正面輝度を向上させることのできる光制御フィルムを提供することを目的とする。
【課題を解決するための手段】
【０００７】
上記問題を解決するため本発明者は鋭意研究した結果、凹凸パターンを有する光制御フィルムを用い、凹凸の表面形状を制御することにより、フィルムに入射した光を効率的に正面方向に立ち上げることができ、より少ない枚数の光学フィルムで正面輝度を向上させることができることを見出しこれを解決するに至った。
【０００８】
即ち、本発明の光制御フィルムは、凹凸パターン面を有するものであって、前記光制御フィルムは、前記凹凸パターン面上の任意の点を通り主平面に垂直な断面の前記凹凸パターン面側縁形状を画定する曲線（以下断面曲線と称す）について、前記光制御フィルムの主平面に対する傾きの絶対値の平均を算出した場合に、前記任意の点を通る前記断面の方向が予め定めた所定の方向から該方向に垂直な方向に向かうにつれて、前記傾きの絶対値の平均が大きくなり、かつ、前記断面の方向の相違による前記傾きの絶対値の平均の差が３０度以内であるという条件を満たすものである。この条件が、凹凸パターン面の実質的にすべての任意の点について満たされているものである。
【０００９】
好ましくは、前記予め定めた所定の方向と垂直な方向についての前記断面を一定の間隔の複数の区間に分割し、前記区間に含まれる前記断面曲線の予め定めた一側を向いた傾斜面の傾きの絶対値の平均を前記区間ごとに算出した場合に、当該傾きの絶対値の平均が前記一側に近い区間ほど大きいものである。
【００１０】
好ましくは、前記予め定めた所定の方向と垂直な方向についての前記断面を一定の間隔の複数の区間に分割し、前記区間に含まれる前記断面曲線の予め定めた一側に対して逆の側を向いた傾斜面の傾きの絶対値の平均を前記区間ごとに算出した場合に、当該傾きの絶対値の平均が前記一側に近い区間ほど小さいものである。
【００１１】
また、本発明のバックライトは、導光板と、導光板の少なくとも一端に配置された光源と、導光板の光出射面側に配置された光制御フィルムを備えたものであって、前記光制御フィルムとして、上記光制御フィルムを用いる構成にすることができる。若しくは、光制御フィルムと、光制御フィルムの光出射面とは反対側の面に、光拡散材、光源をこの順に備えたものであって、前記光制御フィルムとして、上記光制御フィルムを用いる構成にすることができる。この場合、上記光制御フィルムの予め定めた方向とは、光源の長手方向とする。また、一側とは、光源側とする。
【発明の効果】
【００１２】
本発明によれば、少ない枚数で、正面方向に対して進行方向が傾斜した光成分を正面方向に立ち上げ、正面輝度を向上させることのできる光制御フィルムを提供することができる。
【発明を実施するための最良の形態】
【００１３】
以下、本発明の光制御フィルム及びバックライト装置について図面を用いて詳細に説明する。なお、本発明の説明に用いる図面において、フィルムや光源など各要素のサイズ（厚み、幅、高さ等）は、説明を容易にするために必要に応じて拡大あるいは縮小されており、実際の光制御フィルム及びバックライト装置の各要素のサイズを反映したものではない。
【００１４】
図１（ａ）〜（ｃ）は、本発明の光制御フィルム１の実施の形態の断面形状を示す模式図であり、図２はその表面形状を示す斜視図である。図示するように、本発明の光制御フィルム１は、光出射面となる表面に微細な凹凸パターンが形成されており、凹凸パターンの形状に特徴を有している。凹凸パターンの形状の特徴については後述する。光制御フィルム１の裏面は光入射面であり、平滑な面もしくはマット加工等のニュートンリングを防止するための所望の処理が施された面である。光制御フィルム１の構造は、一方の面に凹凸パターンが形成された層１２を基材１１に搭載した構成（図１（ａ）、図１（ｂ））であっても、光制御フィルム１を構成する層１２そのものに凹凸パターンが形成された構成であってもよい（図１（ｃ））。
【００１５】
本発明の光制御フィルム１を用いたエッジライト型バックライト２の構成例を図３に示す。エッジライト型のバックライト２は、導光板２１と、導光板２１の対向する２つの端面にそれぞれ配置された２本の光源２４とを有する。２本の光源２４の長手方向は、導光板の端面に平行に向けられている。光制御フィルム１は、導光板２１と重なるように導光板２１上に配置され、裏面（光入射面）側が導光板２１の上面（光出射面）側に向けられている。このような配置により、光源２４から出射された光は、導光板２１の２つの端面から入射して進行方向が変更されることにより導光板２１の光出射面（上面）から出射され、光制御フィルム１の裏面に入射する。光制御フィルム１は、上面の凹凸パターンにより、進行方向が正面方向（光制御フィルム１の主平面に垂直な方向）に対して傾斜している光成分を正面方向に立ち上げて出射することにより、エッジライト型バックライトの正面輝度を向上させる。なお、光源２４の外側にはリフレクタ２５が、導光板２１の下部には反射板２２およびシャーシ２３等がそれぞれ必要に応じて配置される。
【００１６】
また、本実施の形態の光制御フィルムを用いた直下型バックライトの実施の形態の断面図を図４に示す。直下型バックライトでは、複数本の光源２４が裏面側に配置されたフィルム状もしくは薄板状の光拡散材３１が用いられ、光制御フィルム１は、その裏面（光入射面）を光拡散材３１側に向けて、光拡散材３１上に重なるように配置される。光源２４から出射された光は、光拡散材３１によって拡散され、光拡散材３１の上面から出射され、光制御フィルム１の裏面から入射する。光制御フィルム１は上面の凹凸パターンによって、進行方向が正面方向に対して傾斜している光成分を正面方向に立ち上げて出射することにより、直下型バックライトの正面輝度を向上させる。なお、必要に応じて、光源２４の下部には、反射板２２ならびにシャーシ２３等が配置される。
【００１７】
つぎに、本実施の形態の光制御フィルム１の光出射面に形成されている凹凸パターンの形状について図５，図６，図７を用いて説明する。本実施の形態では、凹凸パターン形状を特定するために、図５に示したように、使用されるバックライトに合わせて所望の大きさに切断された光制御フィルム１について、表面の任意の位置に点Ａを設定し、この点Ａを通って任意の方向（例えばａ1−ａ1’方向）に光制御フィルム１を横切る断面１００を想定する。ただし、断面１００は、光制御フィルム１の主平面（裏面と平行な面）と直交する面とする。この断面１００の光出射面側縁部形状を画定する曲線（以下、断面曲線と称する）１０１を求める。この断面曲線１０１について、端部ａ1からａ1’までを所定の間隔ｄＬで分割する微小区間を設定し（図６参照）、各微小区間ごとに断面曲線１０１の傾きの絶対値を求め、全区間（端部ａ1〜ａ1’）の平均を算出する。
【００１８】
傾きの絶対値の平均値は、点Ａを通り角度φ（例えばφ＝１０°）おきに設定したすべての方向の断面１００（ａ2−a2'断面等）の断面曲線１０１ごとにそれぞれ求める。求めた傾きの絶対値の平均値を比較した場合に、点Ａを通る断面１００の方向が光源２４の長手方向に対して平行方向（図７でいうｘ方向）から垂直方向（図７でいうｙ方向）に向かうにつれて、傾きの絶対値の平均が大きくなり、かつ、断面１００の方向の相違による傾きの絶対値の平均の差が３０度以内、好ましくは２０度以内となるという条件を満たすように、凹凸パターンの形状を定める。この条件が、点Ａのみならず光制御フィルム１上の実質的に全ての点について満たされるように凹凸パターンを定める。これにより、正面方向に対して大きく傾いて入射した光成分を効率的に立ち上げることができ、正面輝度を向上させることができる。
【００１９】
上記条件は、光制御フィルム１上のすべての点において満足されることが望ましいが、局所的に満足されない点があっても正面輝度を向上させる効果は得られる。光制御フィルムの四隅に近い点などは、方向によって得られる断面曲線１０１の長さが極端に短くなってしまうことがあり、傾きの絶対値の平均を算出しても凹凸パターンの特徴を示す値が得られない。このため、断面曲線１０１の長さが短くなる場所と方向によっては、傾きの絶対値の平均の差が３０度以内にならなかったり、光源２４の長手方向に対して平行方向から垂直方向に向かうにつれ上記傾きの絶対値の平均が大きくなるという異方性の条件を満たさないという現象が生じ得る。よって、フィルムの四隅などの一部の領域の点が上記条件を満たさない場合であっても、その領域が特異点である、もしくは、その領域の面積が全体面積に比較して小さいという場合は、そのような点が存在しても許容でき、正面方向に光を立ち上げる効果は得られる。また、断面曲線１０１の測定は、断面曲線の測定長さが十分採れる点および方向について行うことが望ましく、測定長さが十分に得られる点について上記条件が満たされていれば正面に光を立ち上げる効果が得られる凹凸パターン形状であるということができる。なお、光制御フィルム１の主平面は、裏面に平行な面であるが、裏面がマット化されている場合には、裏面の凹凸の中心線を通る面を主平面とする。
【００２０】
ここで、上記説明を補足する。バックライトに使用される一般的な光源２４について、輝度の出射角依存性を測定した場合、測定方向が光源２４の長手方向に対して平行な方向から垂直な方向に向かうにつれて、正面から傾いた出射角の光が多くなる傾向にある。例えば、図３のエッジライト型バックライトにおいて、図７に示したように光制御フィルム１の中央の点Ｃの位置で、導光板２１から出射される光の輝度の出射角依存性を測定した場合、光源２４の長手方向に対して平行なｘ方向については、正面方向である出射角０度の輝度と出射角６０度付近の輝度の差はそれほど大きくないが、光源２４の長手方向に対して垂直なｙ方向については、正面方向である出射角０度の輝度よりも出射角６０度付近の輝度が大幅に大きいことがわかる。輝度の出射角依存性が光源２４の長手方向に対して垂直な方向が平行な方向よりも大きくなる傾向は、エッジライト型バックライトの構造において特に顕著であるが、直下型バックライトにおいても生じ、特に光拡散材３１の光源２４上の部分にドットパターンを設けた場合等に顕著となる。本実施の形態では、上述したように、光源に対して平行方向から垂直方向に向かうにつれて上記断面曲線１０１の傾きの絶対値の平均が大きくなり、かつ、断面曲線の方向の相違による傾きの絶対値の平均の差が３０度以内という条件を満たすように構成することにより、正面方向より大きく傾いた光をより正面方向に立ち上げて輝度の出射角依存性をキャンセルし正面輝度を向上させる作用を得ることができる。
【００２１】
上記傾きの絶対値の平均は、断面曲線１０１がｙ＝ｆ（ｘ）で表れる場合には、図６の微小区間ｄＬを無限に小さくすることにより、この曲線の傾きの関数はｆ（ｘ）をｘで微分したｆ'（ｘ）となる。したがって、傾きの絶対値の平均（Ｓav）は、断面曲線１０１の全区間（端部ａ〜ａ’）の長さをＬとすると、下記の式（数１）で表すことができる。また、曲線の傾きを角度表示した場合、角度表示した傾きの絶対値の平均（θav）は、下記の式（数２）で表すことができる。
【００２２】
【数１】
2004280044.tif 000003
【００２３】
【数２】
2004280044.tif 000004
【００２４】
断面曲線１０１が一般的な関数で表現できない場合には、以下のようにして傾きの絶対値の平均を算出することができる。まず、図５のように光制御フィルム１の凹凸パターン面上に任意の点Ａを設定し、この点Ａを通り光制御フィルム１を任意の方向に横切る測定ライン（図５の直線ａ1〜ａ2）を設定し、測定ラインに沿って、表面形状測定装置等を用いて、光制御フィルム１の表面形状（断面曲線１０１）を測定する。この断面曲線を、光制御フィルム１の主平面方向について十分短い間隔ｄＬごとの区間に分ける。ここでいう十分に短い間隔とは、断面曲線に含まれる凹凸パターンの形状を十分正しく反映できるように、一つの凹部または凸部を少なくとも２以上の区間に分割することができる間隔であり、バックライトに使用する用途の光制御フィルム１の凹凸パターンの大きさの場合には具体的には１．０μｍ以下程度の間隔である。
【００２５】
ついで、断面曲線１０１の各区間ごとの傾きθ（度）を、隣り合う区間の測定点の高さデータ（ｚi），（ｚi+1）を用い、下記の式（数３）により求める。
【００２６】
【数３】
2004280044.tif 000005
【００２７】
上式により断面曲線上のすべて区間について傾きθ（度）を求め、これらの絶対値を取り、全区間について平均することにより、この断面曲線１０１についての傾きの絶対値の平均が算出される。例えば、図６においては、測定点Ｚ１、Ｚ２間の傾きは約＋４５度（絶対値は４５度）であり、測定点Ｚｉ、Ｚｉ＋１間の傾きは約−４５度（絶対値は４５度）である。
【００２８】
また、光制御フィルム１をエッジライト型バックライトに使用する場合、凹凸の傾斜面のうち光源２４が配置されている側を向いた傾斜面の傾きの絶対値が、光源２４から遠い凹凸よりも光源２４に近い凹凸の方が大きくなるように凹凸パターンを構成することが望ましい。この条件は、必ずしも一つ一つの凹凸ごとに満たされている必要はなく、二つの光源２４を結ぶｙ軸に平行な横断面１００の断面曲線１０１を、予め定めた間隔に区切った場合に、区間内の上記傾きの絶対値の平均が、光源２４に近い区間ほど大きくなっていればよい。また、凹凸の傾斜面のうち光源２４とは逆側を向いた傾斜面の傾斜角の絶対値は、光源に近い凹凸ほど小さくなるように凹凸パターンを構成することが望ましい。この条件も一つ一つの凹凸ごとに満たされていなくても、上述した区間内の上記傾きの絶対値の平均が、光源２４に近い区間ほど小さくなっていればよい。
【００２９】
このように傾斜の大きさを光源２４に対する向き及び距離に応じて定めることにより、導光板２１から出射される光のｙ軸方向についての輝度が光源２４に近い測定点ほど正面から傾いた成分が大きくなる現象を補正することができる。これをさらに説明する。エッジライト型バックライトにおいて導光板２１から光の輝度を、光制御フィルム１の位置でｙ軸方向（光源２４の長手方向に垂直方向）について測定した場合、光制御フィルム１の中央の点Ｃにおいては図８（ｂ）のように正面輝度に対する出射角が傾いた位置の最高輝度が約２倍程度であるが、光源２４寄りの点Ｆにおいては図８（ｃ）に示したように正面輝度に対する出射角が傾いた位置の最高輝度が４倍以上となっている。光制御フィルム１は、光源２４を向いた傾斜面の傾斜が大きいほど正面方向に対して大きく傾いた光をより正面方向に立ち上げることができるため、光制御フィルム１の傾斜の大きさを上記したように光源２４を向いた傾斜面の傾斜の絶対値の平均を、光源２４に近づくほど大きくなるように構成することにより、光制御フィルム１全体の正面輝度を向上させることができる。同時に、光源２４とは反対側の傾斜面については、傾きの絶対値の平均を光源２４に近づくにつれて小さくなるように構成することにより、凹凸パターン面の凹凸の高さを一定に保つことが可能になる。
【００３０】
凹凸パターンの傾斜の大きさを光源２４に対する向き及び距離に応じて定める構成についてさらに説明する。図９は、光源２４が導光板２１の片側（図面の左側）にのみ設置されている場合の断面曲線１０１の例であり、光源２４に近い側から区間１〜７に分けられている。区間１〜７は、任意の等間隔に設定されている。図９の断面曲線１０１の場合、光源２４側を向いた傾斜面とは、図９中の領域αの傾斜面であり、光源２４と反対側の傾斜面とは、図９中の領域βの傾斜面である。よって、区間ごとに領域αの傾きの絶対値の平均値を算出した場合、光源２４から遠い区間７から光源２４に近い区間１に向かうにつれて、その値が大きくなっていることが好ましい。また、区間ごとに領域βの傾きの絶対値の平均値を算出した場合、区間７から区間１に向かうにつれ、その値が小さくなることが好ましい。一方、図１０は、光源２４が導光板の両側に設置されている（図３および図７参照）場合の断面曲線１０１の例である。この場合光源２４側を向いた傾斜面とは、図１０面の左側にある光源２４を基準とした場合には領域αの傾斜面のことをいい、右側の光源２４を基準とした場合には領域βの傾斜面のことをいう。したがって、領域αの傾斜面は、区間７から区間１に向かうにつれ、傾きの絶対値の平均値が大きくなることが好ましく、領域βの傾斜面は、区間１から区間７に向かうにつれ、傾きの絶対値の平均値が大きくなることが好ましい。なお、実際に傾きの絶対値の平均値を算出する際には、上式（数３）により求められる傾きθの符号（±）の違いにより、領域αと領域βとを区別できる。また、上式（数３）で求められた傾きθが０度の場合には、傾き０度の測定点の数を合計し、それをα区間とβ区間に均等に割り振ってそれぞれの絶対値の平均を求める。
【００３１】
上記のように傾きの絶対値を定める条件は、凹凸パターン面上の実質的に全ての点におけるｙ方向の断面曲線において満足されることが好ましい。また、上記条件を満たす本発明の光制御フィルム１は、特に、光源２４が片側もしくは両側に配置されたエッジライト型のバックライトに好適に使用され、光源２４が導光板２１の両側に設置されている場合には、何れの光源２４を基準とした場合にも上記条件を満たすことが好ましい。また、断面曲線１０１を分割する区間の数は２以上であれば任意の区間数に設定することができる。また、複数の光源を有する直下型のバックライト（図４参照）においても、光制御フィルム１に上記条件を適用することが可能である。この場合、近接する２本の光源２４に挟まれた領域については両側に光源２４が配置されているものとして上記条件を適用する。
【００３２】
凹凸パターンを構成する個々の凸部及び凹部の形状等は特に制限されないが、一例としては、一つ一つの凸部を、主平面に平行な断面の径が図７のｘ軸方向に長くｙ軸方向に短い異方性を有する形状とすることにより、断面１００の方向がｘ軸方向からｙ軸方向に向かうにつれて、断面曲線の傾きの絶対値の平均が大きくなるという条件を満たす凹凸パターンを設計できる。このとき、主平面に平行な断面のｘ軸方向の径とｙ軸方向の径との比率を調整することにより、断面１００の方向の相違による前記傾きの絶対値の平均の差が３０度以内の条件を満たす凹凸パターンを設計することができる。また、例えば、一つ一つの凸部の頂点の位置を、凸部の基部の主平面に平行な断面の中心に対して光源２４に近い側にずらすことにより、光源に向いた斜面の傾きの絶対値の平均が光源に近づくにつれて大きくなるという条件を満たす凹凸パターンを設計することができる。上記条件を満たすように設計された一つ一つの凸部を主平面方向に二次元に配置することにより、全体として上記条件を満たす凹凸パターンを設計することができる。凸部または凹部は、主平面方向にランダムに配置されていることが好ましい。凸部及び凹部をランダムに配置することにより、任意の点について断面１００の方向の相違による断面曲線１０１の傾きの絶対値の平均の差を３０度以内にしやすくなり、光制御フィルム１上の光学特性をほぼ一定にすることができる。また、凸部及び凹部をランダムに配置することにより、干渉パターンの発生を防止することもできる。例えば隣接する凸部及び凹部の間に空隙が生じるように配置してもよいし（図１（ａ））、一部を接するように配置してもよい（図１（ｂ）、図１（ｃ））。凸部の高さ、または凹部の深さは、例えば３〜１００μｍ程度にすることが望ましい。また、凸部又は凹部の配置密度は１０個〜２０万個／ｍｍ2程度であることが好ましい。具体的な凹凸パターンの形状は、コンピュータシミュレーションによって設計することができる。
【００３３】
以上説明した光制御フィルム１の構成としては、例えば透明な基材１１の上に凹凸パターンを有する層１２を搭載した構成（図１（ａ）、図１（ｂ））や、凹凸パターンを有する層１２そのものがフィルム１である構成（図１（ｃ））とすることが可能である。
【００３４】
基材１１は光透過性が良好なものであれば特に制限されることなく、ポリエチレンテレフタレート、ポリブチレンテレフタレート、ポリエチレンナフタレート、ポリカーボネート、ポリエチレン、ポリプロピレン、ポリスチレン、トリアセチルセルロース、アクリル、ポリ塩化ビニルなどのプラスチックフィルムなどを使用することができる。
【００３５】
凹凸パターンを有する層１２を構成する材料は、光透過性が良好なものであれば特に制限されることなく、ガラス、高分子樹脂などを使用することができるが、加工性、取扱い性の観点から高分子樹脂が好適である。
【００３６】
ガラスとしては、ケイ酸塩ガラス、リン酸塩ガラス、ホウ酸塩ガラスなどの酸化ガラスなどがあげられる。
【００３７】
高分子樹脂としては、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの熱可塑性樹脂、熱硬化性樹脂、電離放射線硬化性樹脂などがあげられる。
【００３８】
凹凸パターンを有する層１２には、一般的な光拡散性シートのように、有機ビーズや無機顔料などの光拡散剤を含有させることも可能であるが、本発明の光制御フィルムにおいては、光拡散剤を含有させなくても光拡散効果を発揮することができる。よって、光拡散剤を原因として他の部材を傷つけてしまったり、光拡散剤が剥がれ落ちてゴミが発生することもない。
【００３９】
凹凸パターンを有する層１２は、平滑なシートにエンボスロールを押しあてる方法、エッチング処理、または、型による成型等を使用して製造することができるが、再現性よく所定の凹凸パターンを有する光制御フィルム１を製造できるという点で型による成型方法が好ましい。具体的には、凹凸パターンと対称的な形状を備えた型を作製し、当該型に高分子樹脂などの凹凸パターンを構成する材料を流し込んで硬化させた後、型から取り出すことにより製造することができる。透明基材１１を使用する場合には、型に高分子樹脂などを流し込み、その上に透明基材を重ね合わせた後、高分子樹脂などを硬化させ、透明基材ごと型から取り出すことにより製造することができる。
【００４０】
凹凸パターンと対称な形状を備える型を製造する方法としては、例えばレーザー微細加工技術を用いることができる。この場合まず上記してきた凹凸パターンの要件を満たすパターン形状をコンピュータシミュレーションにより設計し、設計した凹凸パターン形状上に、加工に用いるレーザー光の集光スポット径の大きさのマトリクス状の格子を想定し、格子の一つ一つについて、平板材料をその凹凸の高さまで加工するために必要なレーザーパルス数を決定する。雄型となる平板を用意し、レーザー光束を平板上で２次元に移動させながら各格子に対応する位置にそれぞれ所定のレーザーパルス数を照射することにより、設計した凹凸パターン形状を備えた雄型を製造する。この雄型から成型用の型（雌型）を製造する。なお、レーザー光としては、設計した凹凸パターンの形状を十分に反映することができるスポット径のものを用いる。
【００４１】
なお、光制御フィルム１の裏面（光入射面）は、平滑であってもよいが、他の部材と接する際にニュートンリングを生じさせないように微マット処理を施したり、光透過率を向上させるため反射防止処理を施してもよい。
【００４２】
また、良好な正面輝度を得るため、光制御フィルムの光学特性として、ヘーズが６０％以上、好ましくは７０％以上であることが望ましい。ここで、ヘーズとは、JIS-K7136:2000におけるヘーズの値のことであり、ヘーズ（％）＝［（τ4／τ2）−τ3（τ2／τ1）］×１００の式から求められる値である（τ1：入射光の光束、τ2：試験片を透過した全光束、τ3：装置で拡散した光束、τ4：装置および試験片で拡散した光束）。
【００４３】
光制御フィルム１全体の厚みは特に制限されることはないが、通常２０〜３００μｍ程度である。
【００４４】
以上説明した本発明の光制御フィルムは、主として、液晶ディスプレイ、電飾看板などを構成するバックライトの一部品として用いられる。
【００４５】
バックライトは、少なくとも光制御フィルムと光源とを含んで構成される。具体的なバックライトの構成としては、例えば、すでに説明した図３のエッジライト型バックライトまたは図４の直下型バックライトの構成を用いることができる。光制御フィルム１の向きは、図３および図４のように凹凸パターン面を光出射面として用いることが好ましいが、逆向きにして、凹凸パターン面を光入射面とし裏面を光出射面として用いることも可能であり、ある程度の正面輝度向上の効果が得られる。
【００４６】
図３に示したエッジライト型バックライトに用いられる導光板２１は、少なくとも一つの端面を光入射面とし、これと略直交する一方の面を光出射面とするように成形された略平板状のものである。このような導光板２１の各面は、一様な平面ではなく複雑な表面形状をしているものであっても、ドットパターンなどの拡散のための形状が設けられたものであってもよい。このような導光板は、主としてポリメチルメタクリレートなどの高透明な樹脂から選ばれるマトリックス樹脂からなり、必要に応じてマトリックス樹脂と屈折率の異なる樹脂粒子が添加される。
【００４７】
光源２４は、主として冷陰極管が使用される。光源の形状としては線状、Ｌ字状のものなどを用いることが可能である。
【００４８】
また、エッジライト型バックライトにおいては、導光板２１、光源２４、光制御フィルム１の他に、図３に示すように、光源リフレクタ２４、反射板２２、シャーシ２３などを備えることが好ましい。また、目的に応じて、偏光フィルム、電磁波シールドフィルムなどを備える構成にすることもできる。
【００４９】
直下型のバックライトの光拡散材３１は、光源２４の形状が透けるのを消すためのものであり、乳白色の樹脂板、光源に対応する部分にドットパターンを形成した透明フィルム（ライティングカーテン）の他、透明基材上に凹凸の光拡散層を有するいわゆる光拡散フィルムなどを単独あるいは適宜組み合わせて使用することができる。光源２４は、主として冷陰極管が使用される。光源の形状としては線状、Ｌ字状のものなどがあげられる。
【００５０】
また、直下型のバックライトにおいては、光制御フィルム１、光拡散材３１、光源２４の他に、図４に示すように、反射板２２、シャーシ２３などを備えることが好ましい。また、目的に応じて、偏光フィルム、電磁波シールドフィルムなどを備えることも可能である。
【実施例】
【００５１】
以下、本発明の実施例について説明する。
【００５２】
[実施例]
まず、上述の実施の形態で説明した条件を満たす凹凸パターン形状を３種類設計した。ここでいう条件とは、断面曲線の傾きの絶対値の平均値を比較した場合に、任意の点を通る断面１００の方向が光源２４の長手方向に対して平行方向（図７でいうｘ方向）から垂直方向（図７でいうｙ方向）に向かうにつれて、傾きの絶対値の平均が大きくなり、かつ、断面１００の方向の相違による傾きの絶対値の平均の差が３０度以内という第１の条件、および、ｙ軸に平行な横断面１００の断面曲線１０１を予め定めた間隔に区切り、凹凸の傾斜面のうち光源２４が配置されている側を向いた傾斜面の傾きの絶対値の平均を各区間ごと求めた場合に、光源２４に近い区間ほど大きい値になるという第２の条件である。なお、第２の条件は、光制御フィルム１が、両側に光源２４を備えるエッジライト型バックライトに使用されるものとして設計した。
【００５３】
設計した３種類の凹凸パターンの光制御フィルム１を製造するために、それぞれの凹凸パターン形状の雌型（型ａ、型ｂ、型ｃ）を作製した。型ａには屈折率１．４０のシリコーン樹脂、型ｂ、型ｃには屈折率１．５０の紫外線硬化型樹脂を流し込んだ。次いで、流し込んだ樹脂を硬化させた後、型から取り出して、外形が２３ｃｍ（図７のｙ方向）×３１ｃｍ（ｘ方向）の光制御フィルムａ〜ｃを得た。
【００５４】
この光制御フィルムａ〜ｃの凹凸パターン形状を以下のように確認した。光制御フィルムａ〜ｃ上のＡ〜Ｅ点について、各方向の断面１００を設定し、断面曲線１０１を測定した。Ａ〜Ｅ点は、図７のように光制御フィルム上に引いた対角線を４等分し、対角線の始点及び終点を除いた５点である。断面１００の方向は、光源２４の長手方向（ｘ方向）と平行な方向を始点（φ＝０度）とし、再度ｘ方向に一致する（φ＝１８０度）まで、反時計回りに１５度ごとに設定した。断面曲線１０１の測定は、実際に光制御フィルムを切断するのではなく、表面形状測定装置（ＳＡＳ−２０１０ ＳＡＵ−ＩＩ：明伸工機社）を用いて、触針を設定した断面１００方向に移動させながら凹凸パターン面の高さデータを逐次取得することにより測定した。触針の形状は、球状先端をもつ円すいであり、先端の半径は２μｍ、円すいのテーパ角度は６０度である。この方法により、非破壊で図６に示したような断面曲線１０１を取得した。測定した断面曲線１０１について、数３を用いて光制御フィルムの主平面の傾きの絶対値の平均を算出した。なお、主平面方向の測定間隔ｄＬは１．０μｍである。光制御フィルムａ〜ｃの各測定点について得られた結果を断面曲線の方向ごと（０度〜１６５度）に表１〜３に示す（単位は「度」）。
【００５５】
【表１】
2004280044.tif 000006
【００５６】
【表２】
2004280044.tif 000007
【００５７】
【表３】
2004280044.tif 000008
【００５８】
次いで、光制御フィルムａ〜ｃのＡ、Ｃ、Ｅ点における９０度（ｙ方向）の断面曲線１０１を、ｙ方向について７等分し、各区間１〜７ごとに、断面曲線１０１の光源(ｐ)２４側を向いた傾斜面、および、光源(ｐ)と反対側を向いた（すなわち光源(ｑ)２４側を向いた）傾斜面の傾きの絶対値の平均を算出した。光制御フィルムａ〜ｃについて得られた結果を表４〜６に示す（単位は「度」）。なお、測定結果は光源(ｐ)２４を基準にした場合と光源(ｑ)２４を基準にした場合とで分け、分割した区間は、光源(ｐ)２４から光源(ｑ)２４に向かうにつれ、区間１→区間７とした。
【００５９】
【表４】
2004280044.tif 000009
【００６０】
【表５】
2004280044.tif 000010
【００６１】
【表６】
2004280044.tif 000011
【００６２】
つぎに、光制御フィルムa〜ｃを用いたエッジ型バックライト（図３参照）の正面輝度を測定した。大きさは１５インチであり、光源２４は冷陰極管である。光制御フィルムａ〜ｃの向きは、凹凸パターン面が光出射面となるようにした。このバックライトの光制御フィルムａ〜ｃの光出射面上のＡ〜Ｅ点（図７参照）における輝度を、ｘ方向（光源２４の長手方向に平行方向）とｙ方向（光源２４の長手方向に垂直方向）について出射角度ごと（左４５度から右４５度まで）に測定した。正面方向が０度である。光制御フィルムａ〜ｃについて得られた結果を順に表７〜９に示す（単位は「ｃｄ／ｍ2」）。
【００６３】
【表７】
2004280044.tif 000012
【００６４】
【表８】
2004280044.tif 000013
【００６５】
【表９】
2004280044.tif 000014
【００６６】
［比較例］
市販のプリズムシートｅ及び光拡散性シートｆ〜ｈについて、実施例と同様に、Ａ〜Ｅ点の断面方向ごとに断面曲線の傾きの絶対値の平均を求めた。プリズムシートｅについて得られた結果を表１０に、光拡散性シートｆ〜ｈについて得られた結果を順に表１１〜１３に示す（単位は「度」）。
【００６７】
【表１０】
2004280044.tif 000015
【００６８】
【表１１】
2004280044.tif 000016
【００６９】
【表１２】
2004280044.tif 000017
【００７０】
【表１３】
2004280044.tif 000018
【００７１】
次いで、図３のエッジライト型バックライトに、光制御フィルム１に代えて比較例のプリズムシートｅおよび光拡散性シートｆ〜ｈを搭載したものをそれぞれ作製した。サイズは１５インチであり、光源２４は冷陰極管である。プリズムシートｅのプリズム面および光拡散性シートｆ〜ｈの向きは、凹凸面が光出射面となるようにした。実施例と同様に、バックライト上のＡ〜Ｅ点における輝度をｘ方向（光源２４の長手方向と平行方向）とｙ方向（光源２４の長手方向と垂直方向）について、出射角度ごと（左４５度から右４５度まで）に測定した。正面方向が０度である。プリズムシートｅについて得られた結果を表１４に、光拡散性シートｆ〜ｈについて得られた結果を順に表１５〜１７に示す（単位は「ｃｄ／ｍ2」）。
【００７２】
【表１４】
2004280044.tif 000019
【００７３】
【表１５】
2004280044.tif 000020
【００７４】
【表１６】
2004280044.tif 000021
【００７５】
【表１７】
2004280044.tif 000022
【００７６】
表１〜３を見て明らかなように、実施例の光制御フィルムは、全ての測定点の全ての方向の断面１００について、断面曲線１０１の傾きの絶対値の平均の差が３０度以内であり、かつ、断面１００の方向が光源２４の長手方向に対して平行方向（０度、１８０度）から垂直方向（９０度）に向かうにつれて、傾きの絶対値の平均が大きくなる特徴を有する凹凸パターンが実現されていることが確認できた。このような凹凸パターンの光制御フィルムであるため、表７〜９に示したように、光制御フィルムを１枚だけ組み込んだバックライトでありながら、いずれの測定点においても正面方向（０度方向）の正面輝度が大きく良好な正面輝度が得られている。
【００７７】
また、表４、５から明らかなように、光制御フィルムａ、ｂは、光源ｐを基準とした場合には、区間７から区間１に向かうにつれて、光源ｐ側の傾斜面の傾きの絶対値の平均が大きくなり、光源ｑを基準とした場合には、区間１から区間７に向かうにつれて、光源ｑ側の傾斜面の傾きの絶対値の平均が大きくなるという条件を満たす形状を有する。一方、光制御フィルムｃは、表６からわかるようにこの条件は満たしていない。このため、光制御フィルムａ，ｂは、表７、８から明らかなように、光制御フィルムｃ（表９）と比較して、Ｃ点より光源の位置に近いＡ、Ｂ、Ｄ、Ｅ点においても、光源２４の長手方向と垂直な方向における正面（０度）から大きく傾いた光を効率的に正面方向に向けることができており、良好な正面輝度を得ることができるものであった。具体的には、光制御フィルムａ，ｂについて示した表７、８の輝度は、光制御フィルムｃについ示した表９の輝度に比べ、Ｃ点とＡ、Ｂ、Ｄ、Ｅ点との正面輝度の差が小さく、また、Ａ、Ｂ、Ｄ、Ｅ点のｙ方向（光源２４の長手方向と垂直方向）についての上３０度と下３０度の輝度の差及び上４５度と下４５度の輝度の差が小さく、かつ正面方向（０度）の輝度の値より格段に小さい割合になっている。このことから、出射光の位置による片寄りが少なく、光が効率的に正面方向に向けられていることが分かる。
【００７８】
一方、表１０〜１３から明らかなように、比較例のものは、全ての測定点、あるいは一部の測定点において、傾きの絶対値の平均の差が３０度以内でなかったり、断面曲線の方向が光源の向きに対して平行方向（０度、１８０度）から垂直方向（９０度）に向かうにつれて、傾きの絶対値の平均が大きくならないものである。したがって、比較例のものをバックライトに組み込んでも、実施例のもの（表７〜９）に比べ、良好な正面輝度を得ることはできなかった（表１４〜１７）。
【００７９】
なお、比較例で用意したプリズムシートｅおよび光拡散性シートｆ〜ｈを適宜複数枚組み合わせてバックライトに組み込むことにより、実施例と同等の正面輝度が得られることがあるが、バックライトの厚みが増してしまい、また、コストも増加してしまう。
【００８０】
以上のように、本発明の光制御フィルムは、凹凸パターンからなる表面形状を特定の条件を満たす形状に制御することにより、本発明の光制御フィルムのみで光を効率的に正面方向に立ち上げることができ、良好な正面輝度を得ることができる。
【図面の簡単な説明】
【００８１】
【図１】（ａ），（ｂ）および（ｃ）本発明の光制御フィルム１の実施の形態について、構造を模式的に示す断面図である。
【図２】本発明の光制御フィルム１の実施の形態について、凹凸パターンの形状を示す斜視図である。
【図３】本発明の光制御フィルム１を用いたエッジライト型バックライトの構造を模式的に示す断面図である。
【図４】本発明の光制御フィルム１を用いた直下型バックライトの構造を模式的に示す断面図である。
【図５】本発明の光制御フィルム１の凹凸パターンを特定するために想定する断面１００と断面曲線１０１を説明する説明図である。
【図６】本発明の光制御フィルム１の断面曲線１０１の測定結果を示す説明図である。
【図７】図３のエッジライト型バックライトにおいて、光制御フィルム１上の点Ａ〜Ｅと、光源２４の長手方向に平行な方向（ｘ方向）と垂直な方向（ｙ方向）の関係を示す説明図である。
【図８】（ａ）および（ｂ）図７の点Ｃにおいて、導光板２１の出射光の輝度の出射角依存性（ｘ方向、ｙ方向）をそれぞれ示すグラフ、（ｃ）図７の点Ｆにおいて、導光板２１の出射光の輝度の出射角依存性（ｙ方向）を示すグラフである。
【図９】本発明の光制御フィルム１の凹凸パターンの断面曲線１０１の形状例を示す説明図である。
【図１０】本発明の光制御フィルム１の凹凸パターンの断面曲線１０１の形状例を示す説明図である。
【符号の説明】
【００８２】
１・・・光制御フィルム
１１・・透明基材
１２・・凹凸パターンを有する層
２・・・エッジライト型バックライト
２１・・導光板
２２・・反射板
２３・・シャーシ
２４・・光源
２５・・光源リフレクタ
３・・・直下型バックライト
３１・・光拡散材
４・・・断面曲線
【図１】
2004280044.tif 000023
【図３】
2004280044.tif 000024
【図４】
2004280044.tif 000025
【図５】
2004280044.tif 000026
【図６】
2004280044.tif 000027
【図７】
2004280044.tif 000028
【図８】
2004280044.tif 000029
【図９】
2004280044.tif 000030
【図１０】
2004280044.tif 000031
【図２】
2004280044.tif 000032